(57)【要約】【課題】  閉じ位置で遊技領域を覆う回動扉を開き位置に回動させたときに遊技球が打ち出されても、遊技球が外部に落下することを防止する。【解決手段】  ガラス扉１２が閉じ位置から開き位置に回動された場合、シャッター３２を第１位置から第２位置に移動させる。これにより、シャッター３２が案内通路１３ｂを遮蔽するため、パチンコ球が打ち出されても、打ち出されたパチンコ球はシャッター３２で跳ね返って落下し、ファール口１１ｃに入る。ガラス扉１２が開き位置から閉じ位置に回動された場合、シャッター３２を第２位置から第１位置に移動させる。これにより、案内通路１３ｂ内からシャッター３２が退避するため、打ち出されたパチンコ球は遊技領域１３ａに案内される。【選択図】        図３
2005261910.tif 000002
【特許請求の範囲】
【請求項１】
遊技球を打ち出す球発射装置を有する本体基部と、前記本体基部に取り付けられ、前記球発射装置から打ち出された遊技球を遊技領域に案内する案内通路を前面に有する遊技盤と、前記遊技領域を覆う閉じ位置と前記遊技領域を外部に露呈する開き位置との間で回動自在となるように前記本体基部に軸着され、前記閉じ位置に位置するときに前記遊技領域を視認可能にする窓部を有する回動扉とを備えた弾球遊技機において、
前記回動扉が前記閉じ位置に位置する場合に、前記球発射装置から打ち出された遊技球が前記案内通路を通過することを許容する第１位置と、前記回動扉が前記開き位置に位置する場合に、前記案内通路を遮蔽して、遊技球が前記案内通路を通過することを禁止する第２位置との間で移動自在な打ち出し禁止部材とを設けたことを特徴とする弾球遊技機。
【請求項２】
前記回動扉が開閉されたことを検知する扉開閉検出手段と、
前記扉開閉検出手段により前記回動扉が前記閉じ位置に位置することが検知された場合に、前記打ち出し禁止部材を第２位置で保持させ、前記扉開閉検出手段により前記回動扉が前記閉じ位置から回動されたことが検知された場合に、前記打ち出し禁止部材を第２位置から第１位置に移動させる通路開閉制御手段とを設けたことを特徴とする請求項１記載の弾球遊技機。
【発明の詳細な説明】
【技術分野】
【０００１】
本発明は、パチンコ球を用いて遊技を行うパチンコ機などの弾球遊技機に関するものである。
【背景技術】
【０００２】
本明細書中では弾球遊技機としてパチンコ機を例に挙げて説明しているため、遊技球としてパチンコ球を用いて説明し、遊技盤の遊技盤面に設けられた入賞口にパチンコ球が入ることを入賞として説明する。
【０００３】
パチンコ店などの遊技場で使用されるパチンコ機の遊技盤の前面は、釘や入賞口が設けられた遊技領域と遊技領域以外の範囲に区画され、遊技領域以外の部分には、遊技（ハンドル）操作によって球発射装置から打ち出されたパチンコ球を遊技領域に案内する案内通路を形成するためのガイドレールなどが設けられている。また、遊技盤の前面側には遊技領域を視認可能にするガラス扉によって覆われている。ガラス扉は、遊技領域を覆う閉じ位置と遊技領域を外部に露呈する開き位置との間で回動自在となるように本体基部に軸着され、閉じ位置ではロック装置によって回動がロックされる。遊技球が打ち出されたときに、遊技球の勢いが弱く、案内通路内で遊技球が落下してしまった場合には、ファール球として遊技者に返却されるようになっており、これにより、遊技を公平に行うことができる。
【発明の開示】
【発明が解決しようとする課題】
【０００４】
ところで、例えば、遊技の最中に遊技領域に打ち出されたパチンコ球が遊技領域内に滞留して回収不能となった場合や、遊技盤のメンテナンスを行う際など、ガラス扉を開き位置に回動した場合に、誤って遊技者がパチンコ球を打ち出してしまうと、打ち出されたパチンコ球がパチンコ機の前面側に落下してしまうことがあり、このことが、遊技場の従業員に不便さを感じさせていた。例えば遊技の最中に正規な方法とは異なる方法でガラス扉を開き位置に回動させてパチンコ球を入賞させる不正な行為が行われた場合、ガラス扉を開き位置に回動させたままでもパチンコ球を遊技領域に打ち出すことが可能であると、不正にガラス扉が開放されてパチンコ球が入賞したのか、あるいは正規の方法でガラス扉が開放されてパチンコ球が入賞したのかの判断がつかないため、このことが不正行為の増長の原因となっていた。
【０００５】
本発明は、上記課題を解決するためになされたもので、閉じ位置で遊技領域を覆う回動扉を開き位置に回動させたときに遊技球が遊技領域に打ち出されることを防止できるようにした弾球遊技機を提供することを目的とする。
【課題を解決するための手段】
【０００６】
上記目的を達成するために、本発明の弾球遊技機は、遊技球を打ち出す球発射装置を有する本体基部と、前記本体基部に取り付けられ、前記球発射装置から打ち出された遊技球を遊技領域に案内する案内通路を前面に有する遊技盤と、前記遊技領域を覆う閉じ位置と前記遊技領域を外部に露呈する開き位置との間で回動自在となるように前記本体基部に軸着され、前記閉じ位置に位置するときに前記遊技領域を視認可能にする窓部を有する回動扉とを備えた弾球遊技機において、前記球発射装置から打ち出された遊技球が前記案内通路を通過することを許容する第１位置と、前記第１位置から前記案内通路内を遮蔽して、遊技球が前記案内通路を通過することを禁止する第２位置との間で移動自在な打ち出し禁止部材とを設けたものである。
【０００７】
なお、前記回動扉が開閉されたことを検知する扉開閉検出手段と、前記扉開閉検出手段により前記回動扉が前記閉じ位置に位置することが検知された場合に、前記打ち出し禁止部材を第２位置で保持させ、前記扉開閉検出手段により前記回動扉が前記閉じ位置から回動されたことが検知された場合に、前記打ち出し禁止部材を第２位置から第１位置に移動させる通路開閉制御手段とを設けることが好ましい。
【発明の効果】
【０００８】
本発明によれば、球発射装置から打ち出された遊技球が案内通路を通過することを許容する第１位置と、前記第１位置から前記案内通路を遮蔽して、遊技球が前記案内通路を通過することを禁止する第２位置との間で移動自在な打ち出し禁止部材とを設けたので、打ち出された遊技球をファール球とすることが可能になり、閉じ位置で遊技領域を覆う回動扉を開き位置に回動させたときに遊技球が遊技領域に打ち出されることを防止できる。また、回動扉が開き位置に位置するときに遊技球が打ち出されて遊技球が外部に落下することによる遊技球の紛失を防止できる。また、メンテナンスなどの作業の際に、誤って遊技球が打ち出されても作業に支障をきたすことを防止できる。
【０００９】
また、前記回動扉が開閉されたことを検知する扉開閉検出手段と、前記扉開閉検出手段により前記回動扉が前記閉じ位置に位置することが検知された場合に、前記打ち出し禁止部材を第２位置で保持させ、前記扉開閉検出手段により前記回動扉が前記閉じ位置から回動されたことが検知された場合に、前記打ち出し禁止部材を第２位置から第１位置に移動させる通路開閉制御手段とを設けたので、複雑な機構を設けずに、簡単な構成で案内通路を遮蔽できる。また、不正に回動扉が開き位置に回動されて遊技球が入賞されても、これをエラーとして検出することが可能になり、不正行為を防止できる。
【発明を実施するための最良の形態】
【００１０】
図１及び図２に示すように、パチンコ機１０は、本体基部１１とガラス扉（回動扉）１２と遊技盤１３とから構成されている。ガラス扉１２は、本体基部１１に軸支機構１１ａを介して回動自在の軸着されている。遊技盤１３は本体基部１１に組み込まれている。
【００１１】
遊技盤１３の前面には金属の薄板を円弧状に折り曲げて形成されたガイドレール１４が設けられており、遊技盤１３の前面は、ガイドレール１４で囲まれた内側の部分の遊技領域１３ａと、遊技盤１３の側方に位置し、２本のガイドレール１４で囲まれた案内通路１３ｂとに区画されている。案内通路１３ｂは、後述する球発射装置２４から打ち出されたパチンコ球を遊技領域に案内する。
【００１２】
遊技盤１３の遊技領域１３ａ内には、図柄の変動表示及び停止表示が行われる図柄表示装置１５、始動入賞口１６、通常入賞口１７、通過入賞口１７ａ、アタッカ１８、アウト口１９が設けられている。さらに、図示は省略してあるが、遊技領域１３ａ内には、障害釘、風車などが設けられている。
【００１３】
遊技盤１３の背面にはメイン制御基盤２０が設けられており、メイン制御基盤２０のＣＰＵ（通路開閉制御手段）２０ａがパチンコ機１０全体の動作を制御し、これにより、遊技を実行することが可能となる。
【００１４】
ガラス扉１２はガラス（窓部）１２ａを備えており、遊技領域１３ａを覆う閉じ位置（図１の位置）と遊技領域１３ａを外部に露呈する開き位置（図２の位置）との間で回動自在となっている。ガラス扉１２が閉じ位置に位置するときには、ガラス１２ａを介して遊技領域１３ａが視認可能となる。なお、窓部はガラス１２ａに限らず、透明な樹脂の板を用いるなど、適宜の部材を用いてよい。
【００１５】
ガラス扉１２の裏面の側方には、遮光板１２ｃが取り付けられている。遮光板１２ｃは板状の部材をＬ字状に折り曲げることによって形成されており、ガラス扉１２が閉じ位置に位置すると、その先端部が本体基部１１内に突出するようになっている。
【００１６】
遊技盤１３の前面の上方端部で、遊技領域１３ａ及び案内通路１３ｂ以外の領域には、開閉センサ（扉開閉検出手段）２１が設けられている。開閉センサ２１は、投光部２１ａと受光部２１ｂとから構成されており、投光部２１ａから投光された光を受光部２１ｂが受光する。ガラス扉１２が閉じ位置に位置する状態では、投光部２１ａと受光部２１ｂとの間に遮光板１２ｃが侵入し、受光部２１ｂは投光部２１ａから投光された光を受光することが不可能となる。
【００１７】
開閉センサ２１の信号はメイン制御基盤２０のＣＰＵ２０ａに入力される。ＣＰＵ２０ａは、受光部２１ｂが投光部２１ａの光を受光している場合は、ガラス扉１２が開き位置に位置することを検出し、受光部２１ｂが投光部２１ａの光を受光していない場合は、ガラス扉１２が閉じ位置に位置することを検出する。
【００１８】
本体基部１１の下部には下部扉１１ｂが回動自在に軸着されている。下部扉１１ｂの前面の側方には受け皿２２、発射ハンドル２３が設けられている。受け皿２２では、遊技に用いるパチンコ球の供給及び入賞が発生した場合の賞球の払い出しが行われる。発射ハンドル２３は回動自在に設けられており、発射ハンドル２３を回動操作すると、案内通路１３ｂ内にパチンコ球が打ち出される。また、本体基部１１の内部で、発射ハンドル２３と反対側の側方には球発射装置２４が組み込まれている。球発射装置２４は、下部扉１１ｂが開放されると外部に露呈される。
【００１９】
球発射装置２４には、パチンコ球を打ち出す打球ハンマー２４ａ、打球ハンマー２４ａを回動するロータリーソレノイド２４ｂ、受け皿２２に供給されたパチンコ球が１個ずつセットされる発射ガイド２４ｃ、打ち出されたパチンコ球を案内通路１３ｂにガイドする発射ガイドレール２４ｄが設けられている。
【００２０】
ロータリーソレノイド２４ｂは、球発射装置２４に接続されている発射制御基盤２０のＣＰＵ２０ａによって駆動制御される。発射ガイドレール２４ｄは、案内通路１３ｂの入口側で本体基部１１に形成された発射口１１ｂに連なっている。ＣＰＵ２０ａは、発射ハンドル２３が回動操作されたことを検出すると、ロータリーソレノイド２４ｂを回動させる。これにより、打球ハンマー２４ａが回動して、発射ガイド２４ｃにセットされたパチンコ球が打球ハンマー２４ａによって打ち出される。打ち出されたパチンコ球は発射ガイドレール２４ｄに沿って略鉛直方向へ打ち上げられ、発射口１１ｂから案内通路１３ｂに打ち出される。また、本体基部１１には、発射口１１ｂに隣接してファール口１１ｃが形成されている。案内通路１３ｂ内に打ち出されたものの、その勢いが弱く、遊技領域１３ａに打ち出される前に落下したパチンコ球はファール口１１ｃに入り、受け皿２２に再び返却される。
【００２１】
図３に示すように、本体基部１１内部には、案内通路１３ｂの側方に位置するように、打ち出し規制装置３０が設けられている。
【００２２】
打ち出し規制装置３０は、ソレノイド３１とシャッター（打ち出し禁止部材）３２とから構成されている。ソレノイド３１はメイン制御基盤２０のＣＰＵ２０ａによって駆動制御される。シャッター３２は板状の部材で形成されており、幅広面が遊技盤１３と直交するようにソレノイド３１に接続されている。また、シャッター３２はガイドレール１４の側方に位置するように設けられており、ガイドレール１４のシャッター３２と対面する位置には、開口１４ａが形成されている。そして、シャッター３２は、球発射装置２４から打ち出されたパチンコ球が案内通路１３ｂを通過して遊技領域１３ａに案内されることを許容する第１位置（図中実線で示す位置）と、第１位置から案内通路１３ｂを遮蔽して、球発射装置２４から打ち出されたパチンコ球が遊技領域１３ａに打ち出されないようにする第２位置（図中二点鎖線で示す位置）との間でソレノイド３１によって移動される。なお、シャッター３２を設ける位置（高さ）は、案内通路１３ｂ内であれば適宜の位置にしてよいが、打ち出されたパチンコ球が外部に落下することのない高さに設定することが好ましい。
【００２３】
次に、上記のように構成されたパチンコ機の作用について図４のフローチャートを用いて説明する。ガラス扉１２が閉じ位置に位置する場合は、シャッター３２は第１位置に位置し、案内通路１３ｂを開放した状態となる。この状態では、パチンコ球が打ち出されると、打ち出されたパチンコ球が案内通路１３ｂによって遊技領域１３ａに案内され、遊技領域１３ａにパチンコ球が打ち出される。
【００２４】
例えば、遊技の最中に釘とガラス扉の間にパチンコ球が詰まった場合や、遊技盤１３のメンテナンスを行う際など、ガラス扉１２が閉じ位置から開き位置に回動された場合、遮光板１２ｃが開閉センサ２１の投光部２１ａと受光部２１ｂとの間から退避し、投光部２１ａから投光された光を受光部２１ｂが受光する。そして、開閉センサ２１からの信号がＣＰＵ２０ａに入力されると、ＣＰＵ２０ａはソレノイド３１を駆動し、シャッター３２を第１位置から第２位置に移動させる。これにより、案内通路１３ｂ内にシャッター３２が侵入するため、パチンコ球が打ち出されても、打ち出されたパチンコ球はシャッター３２で跳ね返って落下し、ファール口１１ｃに入る。
【００２５】
また、ガラス扉１２が開き位置から閉じ位置に回動された場合、開閉センサ２１の投光部２１ａから投光された光が遮光板１２ｃによって遮られ、投光部２１ａから投光された光を受光部２１ｂが受光することが不可能となる。そして、開閉センサ２１からの信号がＣＰＵ２０ａに入力されると、ＣＰＵ２０ａはソレノイド３１を駆動し、シャッター３２を第２位置から第１位置に移動させる。これにより、案内通路１３ｂ内からシャッター３２が退避するため、打ち出されたパチンコ球は遊技領域１３ａに案内される。
【００２６】
上記実施形態では、シャッター３２をソレノイド３１で移動させたが、例えばモータとギヤを用いるなど適宜の手段で駆動してよい。
【００２７】
上記実施形態では、発射されたパチンコ球が発射口１１ｂに遊技領域１３ａに打ち出されずに落下した場合、このパチンコ球が発射口１１ｂに入ってしまう可能性があるが、例えば図５に示すように、発射されたパチンコ球が発射口４１にパチンコ球が入ってしまうことを防ぐ逆流防止部材４０を設けることが好ましい。この場合、発射口４１に連通し、発射装置２４から打ち出されたパチンコ球が通過する発射通路４２に傾斜をつけるとより好ましい。即ち、発射装置２４から発射されたパチンコ球の軌道を図中Ｅ方向にすることによって、シャッター３２に衝突して跳ね返ったパチンコ球は、発射口４１よりもファール口４３に向けて落下しやすくなる。逆流防止部材４０は弾性を有する板で形成されており、発射口４１を塞ぎつつ、ファール口４３に向けて傾斜するように発射口４１とファール口４３との間の軸４０ａを支点に反時計方向にのみ回動自在に取り付けられ、また、回動された場合に初期位置に復帰するように付勢されている。逆流防止部材４０は、発射口４１からパチンコ球が打ち出されると、図中二点鎖線に示すように反時計方向に回動した後に発射口４１を塞ぐ初期の状態に戻る。遊技領域１３ａに打ち出されることなく落下したパチンコ球がファール口４２に向けて落下しなかった場合、逆流防止部材４０は時計方向には回動しないため、ファール口４３にガイドされる。これにより、発射口４１内にパチンコ球が入ってパチンコ球が詰まることを防止できる。
【００２８】
上記実施形態では、シャッター３２を単体で用いたが、シャッター３２にパチンコ球が衝突して跳ね返る際のシャッター３２への衝撃を吸収する衝撃吸収部材４４を設けることが好ましい。衝撃吸収部材４４としては、例えばスポンジやゴムなど弾性を有する部材を用いるとよい。これにより、パチンコ球が跳ね返ったときの衝撃でシャッター３２が破損することを防止できる。
【００２９】
上記実施形態では、開閉センサ２１によって、受光部２１ｂが投光部２１ａの光を受光していない場合は、ガラス扉１２が閉じ位置に位置することを検出したが、受光部が投光部の光を受光した場合にガラス扉１２が閉じ位置に位置することを検出してもよい。また、開閉センサとして、ガラス扉１２が閉じ位置に位置するときに押圧されるスイッチのオン又はオフを検出することによって、ガラス扉１２の開閉を検出してよい。
【００３０】
上記実施形態では、ＣＰＵ２０ａ及び開閉センサ２１を用い、ガラス扉１２の開閉を検出してソレノイド３１の駆動制御を行うことによってシャッター３２を移動させたが、電気的な制御を行わずに機械的な機構を用いてガラス扉１２の開閉に連動させてシャッター３２を移動させてもよい。次に、この場合の例について説明するが、上記実施形態と同一の機能を有する部材については同符号を用いて説明を省略する。なお、機械的な機構を用いてガラス扉１２の開閉に連動させてシャッター３２を移動させる場合の機構は下記の例に限らず適宜の機構にしてよい。
【００３１】
図６に示すように、打ち出し規制装置５０は、パチンコ球が遊技領域１３ａに打ち出されないようにし、シャッター３２と同様の機能をもつ打ち出し禁止部材５１及び打ち出し禁止部材５１の移動をガラス扉１２に連動させるための連動レバー５２を備えている。打ち出し禁止部材５１は、下面と一方の側面が開放された内部が中空な箱形に形成されている。連動レバー５２は本体基部１１の前面で、ガラス扉１２の軸側の端部に形成されており、遊技盤１３の背面側から前面側に向かう方向に付勢されている。また、連動レバー５２は、遊技盤１３の背面側で、遊技盤１３の前後方向（図９中矢印Ａ，Ｂに示す方向）に移動自在となるように支持されている。
【００３２】
ガラス扉１２が開き位置から閉じ位置に回動された場合、遊技盤１３の前面側に突出している連動レバー５２がガラス扉１２の内壁面に押圧されて遊技盤１３の背面側に突出し、打ち出し禁止部材５１は遊技盤１３を貫通する孔１３ｃ内に挿入される。これにより、打ち出し禁止部材５１は球発射装置２４から打ち出されたパチンコ球が案内通路１３ｂを通過して遊技領域１３ａに案内されることを許容する第１位置（図７に示す位置）に移動する。
【００３３】
また、ガラス扉１２が閉じ位置から開き位置に回動された場合、連動レバー５２がガラス扉１２の内壁面による押圧が解除され、後述するバネ５６の付勢力によって遊技盤１３の前面側に突出すると、打ち出し禁止部材５１は孔１３ｃから案内通路１３ｂ内に突出する。これにより、打ち出し禁止部材５１は、案内通路１３ｂを遮蔽して、球発射装置２４から打ち出されたパチンコ球が遊技領域１３ａに打ち出されないようにする第２位置（図８に示す位置）に移動する。
【００３４】
打ち出し禁止部材５１は、第２位置に位置するときに、下面の開放部分が発射口１１ｂと対面するように取り付けられている。また、側面の開放部分はファール口１１ｃ側を向いており、打ち出し禁止部材５１の内壁面は、側面の開放部分に向けて円弧状となるように形成されている。これにより、打ち出し禁止部材５１の内壁面の上面で跳ね返ったパチンコ球はファール口１１ｃに入る。なお、ガイドレール１４の打ち出し禁止部材５１の側面の開放部分と対面する部分には、打ち出し禁止部材５１の内壁面にガイドされたパチンコ球が衝突した際の衝撃を吸収する衝撃吸収部材を設け、ガイドレールで跳ね返ったパチンコ球がファール口１１ｃに入るようにすることが好ましい。
【００３５】
図９に示すように、打ち出し規制装置５０は、打ち出し禁止部材５１及び連動レバー５２の他に、連動レバー５２の動力を伝える軸５３ａ及びギア５３ｂ，５３ｃ、ギア５３ｃの動力を伝えるギア５４、打ち出し禁止部材５１の開放された側面とは反対側の側面（外側のガイドレール１４と対面する面）に、各ギア歯が外側のガイドレール１４の対面するように一体に形成されたラックギア５５、連動レバー５２を遊技盤１３の背面側から前面側に向けて付勢するバネ５６を備えている。
【００３６】
連動レバー５２は板状の部材で形成されており、押圧部５２ａ、ガイド溝５２ｂ、ギア部５２ｃを備えている。押圧部５２ａは連動レバー５２の一端側の端部（遊技盤１３の前面側へ突出する端部）に設けられており、遊技盤１３の前面から背面に貫通した孔１３ｄに背面側から挿通されている。押圧部５２ａは遊技盤１３の厚みよりも長く形成されている。これにより、孔１３ｄから突出することが可能になっている。押圧部５２ａは、外力が加えられていない状態ではバネ５６の付勢力によって孔１３ｄから突出する。押圧部５２ａが孔１３ｄから突出した状態でガラス扉１２が開き位置から閉じ位置に回動されると、ガラス扉１２によってその先端が押圧される。
【００３７】
ガイド溝５２ｂは、連動レバー５２の厚み方向に貫通した長孔からなり、遊技盤１３の背面に形成されたガイド突起１３ｅが挿通されている。連動レバー５２の移動方向は、ガイド溝５２ｂとガイド突起１３ｅとによって一方向に規制される。
【００３８】
ギヤ部５２ｃは押圧部５２ａと反対（背面）側の端部で、連動レバー５２の幅方向における一方の端縁に形成されている。また、ギヤ部５２ｃと反対側の端縁にはフック５２ｄが形成されている。フック５２ｄはＬ字形に形成されており、バネ５６の一端が引っかけられている。遊技盤１３の背面にはフック５２ｄと同様にＬ字形に形成されたフック１３ｆが形成されており、フック１３ｆにはバネ５６の他端が引っかけられている。
【００３９】
ギア５３ｂ、５３ｃは軸５３ａの両端に接続されている。軸５３ａは鉛直方向を向くように配置されており、上方に位置するギア５３ｂが連動レバー５２のギア部５２ｃと噛み合っている。ギア５４はその軸５４ａが鉛直方向を向くように配置されており、ギア５３ｃと噛み合っている。また、ギア５４はラックギア５５にも噛み合っている。ラックギア５５は遊技盤１３の背面側で、遊技盤１３の前後方向（図９中矢印Ａ，Ｂに示す方向）に移動自在となるように支持されている。なお、軸５３ａ及びギア５３ｂ，５３ｃ、ギア５４とは遊技盤１３の背面側でそれぞれ軸５３ａ、軸５４ａを中心に回転するように軸支されている。
【００４０】
ガラス扉１２が開き位置から閉じ位置に回動された場合、ガラス扉１２に連動レバー５２の押圧部５２ａが押圧され、ガイド突起１３ｅがガイド溝５２ｂ内を移動する。これにより、連動レバー５２は、バネ５６の付勢力に抗して遊技盤１３の前面側から背面側に向かう方向（図中矢印Ａ方向）に移動する。連動レバー５２がＡ方向に移動すると、ギア５３ｂ，５３ｃが時計方向（図中矢印Ｂ方向）に回動し、これに連動して、ギア５４が反時計方向（図中矢印Ｃ方向）に回動する。これにより、ラックギア５５がＡ方向に移動して打ち出し禁止部材５１が第１位置から第２位置に移動する。
【００４１】
ガラス扉１２が閉じ位置から開き位置に回動された場合、連動レバー５２がバネ５６の付勢力により遊技盤１３の背面側から前面側に向かう方向（図中矢印Ｄ方向）に移動する。連動レバー５２がＤ方向に移動すると、ギア５３ｂ，５３ｃが反時計方向（図中矢印Ｃ方向）に回動し、これに連動して、ギア５４が時計方向（図中矢印Ｂ方向）に回動する。これにより、ラックギア５５がＤ方向に移動して打ち出し禁止部材５１が第２位置から第１位置に移動する。
【図面の簡単な説明】
【００４２】
【図１】ガラス扉が閉じ位置に位置する状態のパチンコ機の斜視図である。
【図２】ガラス扉が開き位置に位置する状態のパチンコ機の斜視図である。
【図３】パチンコ機の縦断面図である。
【図４】シャッターを駆動するための制御の流れを示すフローチャートである。
【図５】逆流防止部材及び衝撃吸収部材を設けた場合のパチンコ機の縦断面図である。
【図６】機械的な機構を用いた打ち出し規制装置が設けられたパチンコ機の、ガラス扉が開き位置に位置する状態の斜視図である。
【図７】打ち出し禁止部材が第２位置に位置する状態を示す斜視図である。
【図８】打ち出し禁止部材が第１位置に位置する状態を示す斜視図である。
【図９】打ち出し規制装置の構成を示す斜視図である。
【符号の説明】
【００４３】
１０  パチンコ機
１２  ガラス扉（回動扉）
１２ａ  ガラス（窓部）
２０ａ  ＣＰＵ（通路開閉制御手段）
２１  開閉センサ（扉開閉検出手段）
３２  シャッター（打ち出し禁止部材）
５１  打ち出し禁止部材
【図１】
2005261910.tif 000003
【図２】
2005261910.tif 000004
【図３】
2005261910.tif 000005
【図４】
2005261910.tif 000006
【図５】
2005261910.tif 000007
【図６】
2005261910.tif 000008
【図７】
2005261910.tif 000009
【図８】
2005261910.tif 000010
【図９】
2005261910.tif 000011